(57)【要約】【課題】  本発明は、流し読み時のスジ画像等の画像欠陥の発生を防止する画像読取装置及びこれを具備する画像形成装置を提供することを目的とする。【解決手段】  本発明に係る画像読取装置及び画像形成装置の代表的な構成は、自動原稿搬送装置101は、リーダ部103により画像を流し読みする流し読み位置で原稿105を一定の位置に保持した状態で所定の方向に原稿を搬送する流し読みローラ102を有し、自動原稿搬送装置101とリーダ部103は、互いに当接した位置と、離間した位置とに移動可能であり、原稿ガイド部材111、112は、開閉可能であり、自動原稿搬送装置101とリーダ部103が離間した際に閉じた状態になり、自動原稿搬送装置101とリーダ部103が当接した際には開いた状態になることを特徴とする。【選択図】    図２
2005175861.tif 000002
【特許請求の範囲】
【請求項１】
原稿に照明光を照射して原稿からの反射光をイメージセンサで読み取る画像読取手段と、該画像読取手段へ原稿を搬送する原稿搬送手段と、前記画像読取手段と前記原稿搬送手段との間に設けられ、原稿をガイドする原稿ガイド部材と、を有し、前記原稿搬送手段により原稿を搬送しつつ前記画像読取手段により画像を流し読みする画像読取装置において、
前記原稿搬送手段と前記画像読取手段は、互いに当接した位置と、離間した位置とに移動可能であり、
前記原稿ガイド部材は、開閉可能であり、前記原稿搬送手段と前記画像読取手段が離間した際に閉じた状態になり、前記原稿搬送手段と前記画像読取手段が当接した際には開いた状態になり、
前記原稿搬送手段は、流読み回転体を有し、前記原稿搬送手段と前記画像読取手段が当接した際に、前記流読み回転体と前記原稿ガイド部材が当接して流し読み位置で原稿搬送経路を形成することを特徴とする画像読取装置。
【請求項２】
前記原稿搬送手段と前記画像読取手段が所定位置に当接した際に、前記原稿ガイド部材の開いたスペースを照射光および反射光が通過することを特徴とする請求項１に記載の画像読取装置。
【請求項３】
前記原稿ガイド部材は少なくとも一部に透明な部分を有し、該透明な部分を透して原稿に照射光が照射され、前記原稿ガイド部材の開いたスペースを反射光が通過することを特徴とする請求項１に記載の画像読取装置。
【請求項４】
請求項１〜請求項３のいずれか１項に記載の画像読取装置と、
該画像読取装置によって読み取った画像に応じて記録媒体に画像を形成する画像形成部と、を有することを特徴とする画像形成装置。 
【発明の詳細な説明】
【技術分野】
【０００１】
本発明は、例えば、スキャナー、複写機、プリンター、あるいは、ファクシミリ装置などに用いられ、画像が記載されたシート材（原稿）を自動搬送する原稿搬送装置を備え、シート材（原稿）の画像を読み取る画像読取装置及びこれを具備する画像形成装置に関するものである。
【背景技術】
【０００２】
従来より、搬送される移動原稿を、原稿照明光源で照明し、原稿からの反射光をイメージセンサによって読取る、いわゆる流し読み機能を有する画像読取装置がある（例えば、特許文献１参照）。
【０００３】
図７は従来の画像読取装置の構成図である。図７において、101は自動原稿搬送装置、126はイメージセンサ、125はレンズ、121〜123はそれぞれ第1ミラー、第2ミラー、第3ミラー、120は照明光源、501はコンタクトガラス、502は原稿台ガラス、102は流し読みローラ、105は原稿である。
【０００４】
原稿105は、自動原稿搬送装置101により搬送され、流し読みローラ102とコンタクトガラス501が接した流し読み位置にて照明光源120により照明される。搬送中の原稿105から反射した反射光は反射ミラー121〜123およびレンズ125を介してイメージセンサ126の受光面上に光学的に結像される。
【０００５】
【特許文献１】特開平06-263290号公報（図２）  特開平07-319229号公報（図１）
【発明の開示】
【発明が解決しようとする課題】
【０００６】
しかしながら、上記従来の画像読取装置では、コンタクトガラス501上の流し読み位置にゴミ・汚れ・異物等が存在した場合、読み取り画像にスジ等の画像欠陥が発生するという問題があった。
【０００７】
そこで本発明は、流し読み時の読み取り画像にスジ画像等の画像欠陥が発生することを防止する画像読取装置及びこれを具備する画像形成装置を提供することを目的とする。
【課題を解決するための手段】
【０００８】
上記課題を解決するために本発明に係る画像読取装置及び画像形成装置の代表的な構成は、原稿に照明光を照射して原稿からの反射光をイメージセンサで読み取る画像読取手段と、該画像読取手段へ原稿を搬送する原稿搬送手段と、前記画像読取手段と前記原稿搬送手段との間に設けられ、原稿をガイドする原稿ガイド部材と、を有し、前記原稿搬送手段により原稿を搬送しつつ前記画像読取手段により画像を流し読みする画像読取装置において、前記原稿搬送手段と前記画像読取手段は、互いに当接した位置と、離間した位置とに移動可能であり、前記原稿ガイド部材は、開閉可能であり、前記原稿搬送手段と前記画像読取手段が離間した際に閉じた状態になり、前記原稿搬送手段と前記画像読取手段が当接した際には開いた状態になり、前記原稿搬送手段は、流読み回転体を有し、前記原稿搬送手段と前記画像読取手段が当接した際に、前記流読み回転体と前記原稿ガイド部材が当接して流し読み位置で原稿搬送経路を形成することを特徴とする。
【発明の効果】
【０００９】
上記構成により、原稿の画像を読み取る際に、原稿に照射する照射光及び原稿から反射する反射光のうち少なくとも反射光が、原稿ガイド部材の間を通過し、原稿ガイド部材を透過することなく、原稿ガイド部材上のゴミ・汚れ・異物等により読み取り画像にスジ画像が発生することを防止することができる。
【発明を実施するための最良の形態】
【００１０】
[第一実施形態]
本発明に係る画像読取装置及び画像形成装置の第一実施形態について、図を用いて説明する。図１は本実施形態に係る画像形成装置の構成図、図２は画像読取装置の構成図、図３は流し読み位置付近の詳細図である。
【００１１】
図１に示すように、画像形成装置１はプリンタ部300と画像読取装置110とから構成さえれている。
【００１２】
〔プリンタ部の説明〕
プリンタ部300は、周知の静電潜像画像形成を用いた画像形成装置本体である。図２に示すように、プリンタ部300は、給送部、画像形成部、定着装置18、ソータ22から構成されている。
【００１３】
給送部において、カセット２、シート積載装置８内に収納されたシートは分離爪と給送ローラ３、９の作用によって１枚ずつ分離給送されてレジストローラ６に導かれる。
【００１４】
画像形成部において、感光ドラム12は、リーダ部103により読み取られた画像データに基づいてレーザースキャナ（不図示）により画像光を照射され、感光ドラム12の表面に静電潜像を形成する。この静電潜像は、現像器14によってトナー像に変換され、レジストローラ６から搬送されたシートに転写帯電器15により転写される。トナー像を転写されたシートは、分離帯電器16により感光ドラム12から分離して搬送ベルト17へ搬送される。
【００１５】
その後、シートは、搬送ベルト17により定着装置18へ搬送され、定着装置18によりトナー像を定着され、搬送ローラ19によりダイバータ20へ搬送される。ダイバータ20へ搬送されシートは、ダイバータ20によって排出ローラ21に導かれ、ソータ22内に搬送される。
【００１６】
〔画像読取装置の説明〕
図２に示すように、画像読取装置110は、画像読取手段であるリーダ部103と原稿搬送手段である自動原稿搬送装置101を備えている。リーダ部103は、原稿ガイド部材111、112、原稿台ガラス113、照明光源120、第1〜第3ミラー121〜123、レンズ125、イメージセンサ126から構成されている。自動原稿搬送装置101は、リーダ部103の上方に備えられており、流読み回転体である流し読みローラ102を有している。尚、流読み回転体は、流し読みローラ102に限定されるものでなく、ベルト形状の流し読みベルトであってもよい。
【００１７】
照明光源120から原稿面に照射された光は、原稿105で反射する。原稿からの反射光は、ミラー121〜123を介してレンズ125に導かれ、レンズ125によってイメージセンサ126上に集光される。イメージセンサ126は、原稿情報を反映した上記反射光を光電変換し、電子的な画像信号としてプリンタ部300へ出力する。
【００１８】
原稿トレイ104上にある原稿105は給送ローラ106、搬送ローラ107により流し読みローラ102（流し読み位置）へ給送、搬送される。この際、原稿105は、流し読みローラ102と反射ミラー121との間に設けられた原稿ガイド部材111、112に表面をガイドされつつ、画像を読み取られる。画像を読み取られた原稿105は、原稿ガイド部材112によりすくい上げられ、排出ローラ108により排出トレイ109に排出される。
【００１９】
原稿105の流し読みを行わない際は、図２（ａ）に示すように、自動原稿搬送装置101とリーダ部103は離間した状態にあり、原稿ガイド部材111、112が閉じた状態となっている。すわなち、原稿ガイド部材111、112が端部111ａ、112ａで当接して一枚の板状になり、リーダ部103を閉めた状態となる。
【００２０】
一方、上述のごとく原稿105の流し読みを行う際は、図２（ｂ）に示すように、自動原稿搬送装置101とリーダ部103が当接した状態にあり、原稿ガイド部材111、112が開いた状態となっている。すわなち、原稿ガイド部材111、112の端部111ａ、112ａが離間してリーダ部103を開いた状態となる。
【００２１】
このように、自動原稿搬送装置101とリーダ部103が離間した際に、原稿ガイド部材111、112が閉じた状態となることで、リーダ部103内にゴミ等の異物が混入することを防止している。
【００２２】
次に、原稿ガイド部材111、112の開閉動作について説明する。図３に示すように、原稿ガイド部材111、112は、互いに当接する端部の反対側の端部近傍で、原稿幅方向を長手方向とする不図示の回動軸により軸支されている。
【００２３】
かかる構成において、自動原稿搬送装置101とリーダ部103が当接することにより、流し読みローラ102が原稿ガイド部材111、112に当接して原稿ガイド部材111、112をリーダ部103側へ付勢する。これにより、原稿ガイド部材111、112が回動軸（不図示）を中心に端部111ａ、112ａがリーダ部103側へ沈み込む方向に回動し、原稿ガイド部材111、112が開いた状態となる。
【００２４】
原稿ガイド部材111、112は、流し読みローラ102に沿ったＶ字状に開き、端部111ａ、112ａが開いたスペースは、原稿搬送方向に開口幅Ｗとなっている。ここで、照明光源120から原稿105へ照射された照射光と、原稿105で反射した反射光は、かかる開口幅Ｗのスペースを通過する。開口幅Ｗは照射光と反射光の光学経路を原稿ガイド部材111、112が妨げない幅となっている。
【００２５】
一方、原稿ガイド部材111、112は、Ｖ字状に開き流し読みローラ102に沿うことにより、原稿105の搬送経路を確保し、原稿105をガイドしている。ここで、端部112ａは、端部111ａよりリーダ部103側に高さΔだけ低くなっている。これにより、原稿搬送時に原稿105の先端を確実にすくい取ることができ、原稿を確実に搬送することができる。
【００２６】
上述のごとく、原稿ガイド部材111、112は、自動原稿搬送装置101とリーダ部103が離間した際に閉じた状態になり、自動原稿搬送装置101とリーダ部103が当接した際には開いた状態になるよう構成した。これにより、流し読み位置にて照射光、反射光が透過するコンタクトガラス等が存在しないこととなり、原稿の画像読み取りに際してコンタクトガラス上の汚れ・ゴミ・異物等により読み取り画像にスジ画像等の画像欠陥が発生することを防止することができる。
【００２７】
[第二実施形態]
次に本発明に係る画像読取装置及び画像形成装置の第二実施形態について図を用いて説明する。図４は本実施形態に係る画像読取装置の流し読み位置付近の詳細図である。上記第一実施形態と説明の重複する部分については、同一の符号を付して説明を省略する。
【００２８】
図４に示すように、本実施形態にかかる画像読取装置及び画像形成装置は、上記第一実施形態における原稿ガイド部材112を透明な材質で形成し照明光源120からの照射光を透過可能に形成したものである。尚、原稿ガイド部材112のみならず、原稿ガイド部材111も透明な材質で構成しても良い。
【００２９】
照明光源120からの照明光は原稿ガイド部材112を透過して原稿を照明する。原稿105に照射された照射光は原稿105で反射し、反射光は端部111ａ、112ａとの間のスペースを通過して反射ミラー121へ向かう。
【００３０】
上述のごとく、原稿ガイド部材112を透明とし、原稿ガイド部材112を透して原稿105へ照射光を照射する構成とした。これにより、流し読み位置における原稿ガイド部材111、112の開口幅Ｗを小さくすることができ、原稿ガイド部材111、112の開閉機構の設計上の制約が少なくなり、画像読取装置110、画像形成装置１の省スペース、低コスト設計が可能となる。
【００３１】
また、上記第一実施形態と同様に、原稿105から反射した反射光が透過するコンタクトガラス等が存在しないこととなり、原稿の画像読み取りに際してコンタクトガラス上の汚れ・ゴミ・異物等により読み取り画像にスジ画像等の画像欠陥が発生することを防止することができる。
【００３２】
［第三実施形態］
次に本発明に係る画像読取装置及び画像形成装置の第三実施形態について図を用いて説明する。図５は本実施形態に係る画像読取装置の流し読み位置付近の詳細図である。上記第一実施形態と説明の重複する部分については、同一の符号を付して説明を省略する。
【００３３】
図５に示すように、本実施形態にかかる画像読取装置及び画像形成装置は、上記第一実施形態の原稿ガイド部材111に原稿105を押し付ける押し付けローラ401を設けたものである。このように、押し付けローラ401により原稿105の搬送経路を規制する状態を確保することで、原稿搬送時に原稿の先端が原稿ガイド部材112によって確実にすくい上げられ、原稿105を確実に搬送することができる。
【００３４】
また、上記第一実施形態と同様に、流し読み位置にて照射光、反射光が透過するコンタクトガラス等が存在しないこととなり、原稿105の画像読み取りに際してコンタクトガラス上の汚れ・ゴミ・異物等により、読み取り画像にスジ画像等の画像欠陥が発生することを防止することができる。
【００３５】
[第四実施形態]
次に本発明に係る画像読取装置及び画像形成装置の第四実施形態について図を用いて説明する。図６は本実施形態に係る画像読取装置の流し読み位置付近の詳細図である。上記第一実施形態と説明の重複する部分については、同一の符号を付して説明を省略する。
【００３６】
図６に示すように、本実施形態にかかる画像読取装置及び画像形成装置は、上記第三実施形態の原稿ガイド部材111、112に変えて、原稿ガイド部材610、601を設けたものである。
【００３７】
原稿ガイド部材610は、板状に形成され、回動しないようにリーダ部103に固定されている。原稿ガイド部材601は、流し読みローラ102と当接する面601ｃを流し読みローラ102を覆うように円弧状に凹んだ形状に形成されている。また、原稿ガイド部材601は、流し読みローラ102側の端部601ｂ、面601ｃの順に流し読みローラ102により付勢されて原稿ガイド部材610と離間する方向へスライドして移動する。
【００３８】
原稿105の流し読みを行わない際は、図６（ａ）に示すように、自動原稿搬送装置101とリーダ部103は離間した状態にあり、原稿ガイド部材610、601が閉じた状態となっている。すわなち、原稿ガイド部材610、601が端部610ａ、601ａで当接してリーダ部103を閉めた状態となる。
【００３９】
一方、上述のごとく原稿105の流し読みを行う際は、図６（ｂ）に示すように、自動原稿搬送装置101とリーダ部103が当接した状態にあり、原稿ガイド部材610、601が開いた状態となっている。すわなち、原稿ガイド部材610、601の端部610ａ、601ａが離間してリーダ部103を開いた状態となる。
【００４０】
上述のごとく、原稿ガイド部材610、601は、原稿ガイド部材601のみがスライドして移動することにより、上記第一実施形態と同様に、流し読み位置にて照射光、反射光が透過するコンタクトガラス等が存在しないこととなり、原稿105の画像読み取りに際してコンタクトガラス上の汚れ・ゴミ・異物等により、読み取り画像にスジ画像等の画像欠陥が発生することを防止することができる。
【産業上の利用可能性】
【００４１】
本発明の活用例として、画像が記載されたシート材（原稿）を自動搬送する原稿搬送装置を備え、シート材（原稿）の画像を読み取る画像読取装置及びこれを具備する画像形成装置に適用可能である。
【図面の簡単な説明】
【００４２】
【図１】第一実施形態に係る画像形成装置の構成図である。
【図２】画像読取装置の構成図である。
【図３】流し読み位置付近の詳細図である。
【図４】第二実施形態に係る画像読取装置の流し読み位置付近の詳細図である。
【図５】第三実施形態に係る画像読取装置の流し読み位置付近の詳細図である。
【図６】第四実施形態に係る画像読取装置の流し読み位置付近の詳細図である。
【図７】従来の画像読取装置の構成図である。
【符号の説明】
【００４３】
Ｗ    …開口幅
Δ    …高さ
１    …画像形成装置
101   …自動原稿搬送装置
102   …流し読みローラ
103   …リーダ部
104   …原稿トレイ
105   …原稿
106   …給送ローラ
107   …搬送ローラ
108   …排出ローラ
109   …排出トレイ
110   …画像読取装置
111、112、601、610   …原稿ガイド部材
111ａ、112ａ、601ａ、610ａ、601ｂ …端部
601ｃ …面
113   …原稿台ガラス
120   …照明光源
121〜123   …反射ミラー
125   …レンズ
126   …イメージセンサ
300   …プリンタ部
401   …押し付けローラ
【図１】
2005175861.tif 000003
【図２】
2005175861.tif 000004
【図３】
2005175861.tif 000005
【図４】
2005175861.tif 000006
【図５】
2005175861.tif 000007
【図６】
2005175861.tif 000008
【図７】
2005175861.tif 000009